(57)【要約】【課題】アクセサリーシュー全体を保護すると共に、アクセサリーシューカバーに指掛け部を設けることなく取り外し操作を容易にする。【解決手段】弾性部材でなるアクセサリーシューカバー５１は、その圧入ボス５４が外装カバー３４の嵌合穴３６に嵌合されて装着状態となり、シュー３１の全体を覆う。外装カバー３４の傾斜面３８とカバー５１の対向部５１ａ１との関係または嵌合穴３６と圧入ボス５４との関係で生じるのとは別に、カバー５１の垂下部５６の前面５６ａとシュー３１のガイド部３７の後端３７ｃとの間に前後方向における隙間５３が生じる。カバー５１の後部５１ｂを後方に押し込むと隙間５３が小さくなり、傾斜面３８に対向部５１ａ１が強く摺接し、前部５１ａが押し上げられ圧入ボス５４が嵌合穴３６から外れる。【選択図】図８
2012058453.tif 000002
【特許請求の範囲】
【請求項１】
撮像装置の本体の上部に設けられ、アクセサリーを取り付けるためのアクセサリーシューと、
弾性部材で構成され、対向部を有して、前記アクセサリーシューへの装着状態で前記アクセサリーシューの全体を覆うアクセサリーシューカバーと、
前記撮像装置の前記本体に後方且つ上方を向いて設けられ、前記アクセサリーシューカバーの装着状態において前記アクセサリーシューカバーの前記対向部と対向する傾斜面と、
嵌合穴及び該嵌合穴に嵌合する突部の組み合わせでなる係合部と係合対応部のうちの係合部が前記撮像装置の前記本体に設けられると共に、前記係合対応部が前記アクセサリーシューカバーに設けられ、前記アクセサリーシューへの装着の際に、前記アクセサリーシューカバーが上方から押圧されることで前記係合対応部と前記係合部とが嵌合状態となるように構成され、
前記アクセサリーシューカバーが前記アクセサリーシューに装着された状態では、前記アクセサリーシューと前記アクセサリーシューカバーとの間には、前記傾斜面と前記対向部との関係または前記係合部と前記係合対応部との関係で生じるのとは別の位置に前後方向における隙間が生じ、前記アクセサリーシューカバーを前方に押圧すると、前記隙間が小さくなって前記傾斜面によって前記アクセサリーシューカバーの前記対向部が上方に付勢されるように構成されたことを特徴とする撮像装置。
【請求項２】
前記対向部及び前記係合対応部は、いずれも前記アクセサリーシューカバーの前部に設けられたことを特徴とする請求項１記載の撮像装置。
【請求項３】
前記隙間は、前記アクセサリーシューと前記アクセサリーシューカバーの後部との間に生じることを特徴とする請求項２記載の撮像装置。
【請求項４】
前記アクセサリーシューには、前記アクセサリーシューカバーを前方に移動させて装着する際に前記アクセサリーシューカバーをガイドするためのガイド部が設けられ、前記アクセサリーシューカバーの後部には、装着される際に前記ガイド部の下に後側から潜り込む係合片が設けられたことを特徴とする請求項２または３記載の撮像装置。
【請求項５】
前記係合部は前記嵌合穴であり、止まり穴として形成されたことを特徴とする請求項１〜４のいずれか１項に記載の撮像装置。
【請求項６】
前記アクセサリーシューは、前記撮像装置の前記本体の上部に設けられた取り付け用凹部に配設され、前記アクセサリーシューカバーは、装着状態では前記取り付け用凹部を埋めるように配設されることを特徴とする請求項１〜５のいずれか１項に記載の撮像装置。
【発明の詳細な説明】
【技術分野】
【０００１】
本発明は、アクセサリーシューを保護するアクセサリーシューカバーが取り付けられる撮像装置に関する。
【背景技術】
【０００２】
従来、撮像装置の上面部には、外部ストロボ等の外部アクセサリーを取り付けるためのアクセサリーシューが配置されることがある。アクセサリーシューには、外部アクセサリーと撮像装置との間で電気信号の送受信をするための電気接点部がある。特許文献１の撮像装置では、電気接点部を保護するためにアクセサリーシューカバーがアクセサリーシューの後方から前方に深く差し込まれ、アクセサリーシューの内側に納まるように取り付けられるようになっている。
【先行技術文献】
【特許文献】
【０００３】
【特許文献１】特開平０９−０１５７２４
【発明の概要】
【発明が解決しようとする課題】
【０００４】
しかしながら、上記特許文献１の撮像装置では、アクセサリーシューの電気接点部は保護されるが、アクセサリーシューの外側は剥き出しとなっており、アクセサリーシューの全体が保護されるわけではない。
【０００５】
また、外部アクセサリーをアクセサリーシューに取り付けやすくするために、アクセサリーシューは一般に、撮像装置の本体のデザイン上の外郭より外側へ突出して配置される。しかし、アクセサリーシューカバーは撮像装置のデザイン上、重要な場所である上面部に配置されているため、アクセサリーシューカバーを取り外すための指掛け部を設けると、外観の品位を大きく損ねてしまう。そのため、アクセサリーシューを含めた撮像装置のデザインの自由度を損ねることになる。
【０００６】
本発明は上記従来技術の問題を解決するためになされたものであり、その目的は、アクセサリーシュー全体を保護すると共に、アクセサリーシューカバーに指掛け部を設けることなく取り外し操作を容易にすることができる撮像装置を提供することにある。
【課題を解決するための手段】
【０００７】
上記目的を達成するために本発明の撮像装置は、撮像装置の本体の上部に設けられ、アクセサリーを取り付けるためのアクセサリーシューと、弾性部材で構成され、対向部を有して、前記アクセサリーシューへの装着状態で前記アクセサリーシューの全体を覆うアクセサリーシューカバーと、前記撮像装置の前記本体に後方且つ上方を向いて設けられ、前記アクセサリーシューカバーの装着状態において前記アクセサリーシューカバーの前記対向部と対向する傾斜面と、嵌合穴及び該嵌合穴に嵌合する突部の組み合わせでなる係合部と係合対応部のうちの係合部が前記撮像装置の前記本体に設けられると共に、前記係合対応部が前記アクセサリーシューカバーに設けられ、前記アクセサリーシューへの装着の際に、前記アクセサリーシューカバーが上方から押圧されることで前記係合対応部と前記係合部とが嵌合状態となるように構成され、前記アクセサリーシューカバーが前記アクセサリーシューに装着された状態では、前記アクセサリーシューと前記アクセサリーシューカバーとの間には、前記傾斜面と前記対向部との関係または前記係合部と前記係合対応部との関係で生じるのとは別の位置に前後方向における隙間が生じ、前記アクセサリーシューカバーを前方に押圧すると、前記隙間が小さくなって前記傾斜面によって前記アクセサリーシューカバーの前記対向部が上方に付勢されるように構成されたことを特徴とする。
【発明の効果】
【０００８】
本発明によれば、アクセサリーシュー全体を保護すると共に、アクセサリーシューカバーに指掛け部を設けることなく取り外し操作を容易にすることができる。
【図面の簡単な説明】
【０００９】
【図１】本発明の一実施の形態に係るアクセサリーシューカバーの取り付け構造が適用される撮像装置を背面側からみた斜視図である。
【図２】アクセサリーシューカバーを取り外した状態のデジタルカメラの平面図である。
【図３】デジタルカメラの背面図、アクセサリーシュー付近の拡大背面図である。
【図４】デジタルカメラの右側面図である。
【図５】デジタルカメラの上部のアクセサリーシューカバーを取り外した状態の斜め背面側からみた拡大斜視図である。
【図６】アクセサリーシューカバーの六面図である。
【図７】アクセサリーシューカバーが装着されたデジタルカメラの上面図である。
【図８】図７のＡ−Ａ線に沿うアクセサリーシュー付近の断面図である。
【図９】図７のＢ−Ｂ線に沿うアクセサリーシュー付近の断面図である。
【図１０】アクセサリーシューカバーを取り外した状態のデジタルカメラのアクセサリーシュー付近の拡大平面図である。
【図１１】デジタルカメラの上部の斜め背面側からみた拡大斜視図である。
【図１２】デジタルカメラに外部アクセサリーを装着した状態を示す右側面図である。
【発明を実施するための形態】
【００１０】
以下、本発明の実施の形態を図面を参照して説明する。
【００１１】
図１は、本発明の一実施の形態に係るアクセサリーシューカバーの取り付け構造が適用される撮像装置を背面側からみた斜視図である。この撮像装置は、一例としてデジタルカメラ１として構成されるが、アクセサリーシューが設けられる撮像装置であれば適用可能である。
【００１２】
デジタルカメラ１の本体１００の背面には、開閉操作及び回転操作が可能で撮影画像を表示するバリアングルＬＣＤ表示部２が配置されている。バリアングルＬＣＤ表示部２の右側には、各種の操作ボタン３（３ａ〜３ｆ）が配設されている。操作ボタン３を操作することにより撮影画像をバリアングルＬＣＤ表示部２に表示したり、様々な設定を行ったりすることができる。また、デジタルカメラ１の上面部には、動画や静止画の撮影モードを切り替えることができるモードダイアル４、撮影時にシャッタを切るためのシャッタボタン５が配設されている。さらに、ズーム操作が可能なズームレバー６、電源ＯＮ／ＯＦＦ操作をするための電源ボタン７等が配設されている。また、上面部には、上下に回転動作して開閉が可能なポップアップ式の内蔵ストロボ８が配設される。さらに、内蔵ストロボ８の後方に外装カバー３４及びアクセサリーシューカバー５１が配設されている。アクセサリーシューカバー５１は、ゴム等の弾性部材で構成される。
【００１３】
図２は、デジタルカメラ１の上方から見た平面図であり、アクセサリーシューカバー５１を取り外した状態を示している。以降、本デジタルカメラ１において、前後方向については、操作者側を後側（図２の下側）、被写体側を前側とし、左右方向については、操作者から見た方向で呼称する。
【００１４】
デジタルカメラ１の本体１００の上部には、アクセサリーシュー３１が設けられる。アクセサリーシューカバー５１は本体１００（厳密には外装カバー３４及びアクセサリーシュー３１）に対して着脱可能となっており、これを取り外すと、アクセサリーシュー３１が現れる。
【００１５】
アクセサリーシュー３１とは、外部ストロボ等の外部アクセサリー６１（図１２参照）を取り付けるための取り付け部のことである。アクセサリーシュー３１のベース面４０には、外部アクセサリー６１とデジタルカメラ１の本体１００との間で電気信号を送受信するための複数の電気接点部３２（３２ａ〜３２ｅ）が設けられている。また、外装カバー３４には、凹み形状の取り付け用凹部３５が設けられている。アクセサリーシュー３１は、取り付け用凹部３５の後方に位置する部分に配設される。
【００１６】
取り付け用凹部３５は、アクセサリーシューカバー５１がちょうど収まるような形状であり、また、外部アクセサリー６１を取り付けるための空間でもある。その他、取り付け用凹部３５の上面には、アクセサリーシューカバー５１の圧入ボス（突部：係合対応部）５４（図６（ｆ）、図８参照）と嵌合する嵌合穴（係合部）３６が設けられている。アクセサリーシュー３１の周囲において、外装カバー３４の下の本体１００の内側にストロボの高圧回路が存在するため、嵌合穴３６は、貫通孔とはせず、止まり穴（乃至凹部）となっている。
【００１７】
図３（ａ）は、デジタルカメラ１の背面図である。図３（ｂ）は、アクセサリーシュー３１付近の拡大背面図である。図４は、デジタルカメラ１の右側面図である。図５は、デジタルカメラ１の上部のアクセサリーシューカバー５１を取り外した状態の斜め背面側からみた拡大斜視図である。
【００１８】
アクセサリーシュー３１は、外装カバー３４の取り付け用凹部３５の上に配設されるので、図３、図４から明らかなように、アクセサリーシュー３１は、外装カバー３４より上方にあまり大きく突出していない。
【００１９】
図３（ｂ）や図５に示すように、アクセサリーシュー３１には、外部アクセサリー６１やアクセサリーシューカバー５１の装着をガイドするためのガイド部３７（３７ａ、３７ｂ）が設けられている。ガイド部３７はアクセサリーシュー３１のベース面４０と共に背面視コ字状を呈する。ガイド部３７ａとガイド部３７ｂとは、同じ高さ位置において互いに左右方向内側に延設されて対峙している。
【００２０】
図６は、アクセサリーシューカバー５１の六面図である。図６（ａ）〜（ｆ）は、それぞれ、アクセサリーシューカバー５１の装着状態での姿勢を基準として、平面図、正面図、背面図、左側面図、右側面図、裏面図に相当する。
【００２１】
アクセサリーシューカバー５１の前部５１ａの裏面には、外装カバー３４の嵌合穴３６に嵌合される圧入ボス５４が下方に突設形成されている（図６（ｂ）、（ｄ）、（ｅ）、（ｆ））。アクセサリーシューカバー５１の前部５１ａの縁部は対向部５１ａ１となっている。対向部５１ａ１は裏面視で前方に凸の略弧状を呈し、前後方向における圧入ボス５４の位置は対向部５１ａ１の前後方向における存在領域に含まれている（図６（ｆ））。
【００２２】
また、アクセサリーシューカバー５１の後部５１ｂの裏面には、アクセサリーシュー３１のガイド部３７（３７ａ、３７ｂ）と係合する引っ掛け係合片５２（５２ａ、５２ｂ）が形成されている（図６（ｂ）、（ｆ））。引っ掛け係合片５２ａ、５２ｂは、前方と左右方向外側とに薄板状に延設されている。さらに、アクセサリーシューカバー５１の前後方向中間部の裏面には、当接リブ５５が突設形成されている（図６（ｄ）、（ｅ）、（ｆ））。
【００２３】
図７は、アクセサリーシューカバー５１が装着されたデジタルカメラ１の上面図である。Ａ−Ａ線は、アクセサリーシューカバー５１の左右方向中心を通り、Ｂ−Ｂ線は、アクセサリーシュー３１のガイド部３７ｂを通る。
【００２４】
図８は、図７のＡ−Ａ線に沿うアクセサリーシュー３１付近の断面図である。図９は、図７のＢ−Ｂ線に沿うアクセサリーシュー３１付近の断面図である。図１０は、アクセサリーシューカバー５１を取り外した状態のデジタルカメラ１の平面図であり、アクセサリーシュー３１付近の拡大図である。
【００２５】
図５、図８、図９に示すように、アクセサリーシュー３１のベース面４０において、各ガイド部３７の下方には、アクセサリーシュースプリング３９が設けられている。また、図５、図８、図９、図１０に示すように、外装カバー３４には傾斜面３８が形成されている。傾斜面３８は、取り付け用凹部３５の前部から左右の側方にかけて連続し、アクセサリーシューカバー５１が装着されたとき、アクセサリーシューカバー５１の対向部５１ａ１と対向する位置に形成される。嵌合穴３６の位置は圧入ボス５４に対応しているので、前後方向における嵌合穴３６の位置は、傾斜面３８の前後方向における存在領域に含まれている。これによって、アクセサリーシューカバー５１は、その装着状態においては取り付け用凹部３５を埋めるように配設されている。
【００２６】
図８、図９に示すように、アクセサリーシューカバー５１の後部５１ｂの裏面からは、垂下部５６が垂下して設けられる。引っ掛け係合片５２ａ、５２ｂは、垂下部５６の左右端部の下端から水平に延設される。引っ掛け係合片５２とアクセサリーシューカバー５１の後部５１ｂの裏面との間隔は、ガイド部３７の厚みとほぼ同じである。
【００２７】
かかる構成において、アクセサリーシューカバー５１をアクセサリーシュー３１に対して装着するには、次のように作業する。まず、ユーザは、アクセサリーシューカバー５１の各引っ掛け係合片５２がアクセサリーシュー３１の各ガイド部３７の後端３７ｃよりも後方に位置するように、アクセサリーシューカバー５１を、上方かつ後方から取り付け用凹部３５に対して仮置きする。
【００２８】
次に、引っ掛け係合片５２ａ、５２ｂがガイド部３７ａ、３７ｂの後側からガイド部３７ａ、３７ｂの下に潜り込むようにアクセサリーシューカバー５１を前方に移動させる。やがて、アクセサリーシューカバー５１の対向部５１ａ１が取り付け用凹部３５の傾斜面３８に当接すると、圧入ボス５４と外装カバー３４の嵌合穴３６との位置がほぼ一致する。そこで、ユーザは、アクセサリーシューカバー５１の前半部、好ましくは圧入ボス５４が形成されている位置の上面を下方に押圧する。すると、圧入ボス５４が嵌合穴３６に嵌合状態となる。これにより、アクセサリーシューカバー５１が装着状態となる。
【００２９】
この装着状態では、圧入ボス５４が嵌合穴３６にしっかり圧入されているので、アクセサリーシューカバー５１の前部５１ａが保持される。一方、引っ掛け係合片５２はガイド部３７の下に係合して、アクセサリーシューカバー５１の後部５１ｂを保持する。これらにより、アクセサリーシューカバー５１は、前後において保持され、容易に外れない。圧入ボス５４はアクセサリーシューカバー５１と一体に形成され、弾性部材でできているため、圧入状態でもしっかり保持することが可能である。また、アクセサリーシューカバー５１の当接リブ５５は、装着状態においてベース面４０にちょうど当接するように設けられ、アクセサリーシューカバー５１に上方から外力が加わったとしても、容易には撓まないようになっている。
【００３０】
外部アクセサリー６１の検知スイッチ構造は、次のように構成されている。図９に示すように、まず、アクセサリーシュースプリング３９が、外部アクセサリー検知ピン４１を押し下げると、外部アクセサリー検知ピン４１がコンタクトプレート４２を押し下げる。すると、コンタクトプレート４２が、フレキシブル基板４３の接点パターンと接触していた状態から非接触状態へと変わり、電気的な導通が切断され、検知スイッチがＯＮされ、外部アクセサリー６１が接続されたことが検知される構造となっている。
【００３１】
従って、仮に、引っ掛け係合片５２が厚くて且つ前方に長すぎて、アクセサリーシュー３１のガイド部３７の前方奥深くまで入り込んでしまうと、アクセサリーシューカバー５１が装着されたとき、アクセサリーシュースプリング３９が押し下げられてしまう。すると、外部アクセサリー検知ピン４１が押し下げられ、外部アクセサリー６１が接続されたと誤認識してしまうおそれがある。これらを考慮し、外部アクセサリー６１の検知スイッチをＯＮしないよう、引っ掛け係合片５２は、アクセサリーシュースプリング３９を押し下げない程度に、厚過ぎず、且つガイド部３７の前方奥深くまで入り込み過ぎない長さに設計されている。また、引っ掛け係合片５２が従来のように長くないので、ガイド部３７が見えづらい状態においても、アクセサリーシューカバー５１の装着作業が容易となる。
【００３２】
アクセサリーシューカバー５１の装着状態においては、図１、図７等に示すように、アクセサリーシュー３１の全体がアクセサリーシューカバー５１に覆われ、電気接点部３２を含めた全てが保護される。また、アクセサリーシューカバー５１は取り付け用凹部３５を埋めるように配置され、その上面は外装カバー３４の外面と連続した面一状態になる。しかも、外装カバー３４との間に外観上生じる隙間は小さいものである。これらにより、アクセサリーシューカバー５１は、外装カバー３４及び本体１００を含めたデジタルカメラ１のデザイン外形の一部を兼ねることになる。従って、一体感があると共に、アクセサリーシュー３１を含めたデジタルカメラ１全体のデザインの自由度が高くなる。
【００３３】
ところで、アクセサリーシューカバー５１が装着状態となったとき、アクセサリーシューカバー５１の対向部５１ａ１と外装カバー３４の傾斜面３８とは対向し、当接乃至ほぼ近接した状態となる。すなわち、アクセサリーシューカバー５１を前方に移動させる装着行程において、対向部５１ａ１と傾斜面３８との当接によって前方の移動位置が一応規制される。そして、前後方向に限れば、対向部５１ａ１や圧入ボス５４を除くアクセサリーシューカバー５１の他の部分は、外装カバー３４やアクセサリーシュー３１に対して当接状態にはならない。このとき、図９に示すように、垂下部５６の前面５６ａとアクセサリーシュー３１のガイド部３７の後端３７ｃとの間に、前後方向における隙間５３が生じる。この隙間５３を設けたことで、次に説明するように、アクセサリーシューカバー５１の取り外しが容易になっている。
【００３４】
隙間５３は、前後方向において、傾斜面３８と対向部５１ａ１との関係または嵌合穴３６と圧入ボス５４との関係で生じるのとは別に生じる隙間のうち最も小さいものである。従って、隙間５３は、装着状態にあるアクセサリーシューカバー５１の後部５１ｂを、背面側より前方に向けて比較的容易に押し込み可能なストロークに相当する。
【００３５】
図１１は、デジタルカメラ１の上部の斜め背面側からみた拡大斜視図である。アクセサリーシューカバー５１を取り外すには、まず、アクセサリーシューカバー５１の圧入ボス５４を嵌合穴３６から外すことが必要である。しかし、アクセサリーシューカバー５１や外装カバー３４には、デザイン性を損ねないように、ザグリ形状等の指掛け部を設けていない。アクセサリーシューカバー５１と外装カバー３４との間の外観上に現れる（平面視における）隙間も小さい。
【００３６】
そこで、ユーザは、図１１に示す矢印Ｃの方向（前方）に、デジタルカメラ１の背面から前面に向かって、アクセサリーシューカバー５１の後部５１ｂを押し込む。すると、隙間５３（図９）が小さくなると共に、外装カバー３４の傾斜面３８にアクセサリーシューカバー５１の対向部５１ａ１が強く摺接する。傾斜面３８が、後方且つ上方を向くように斜面を形成しているため、後方から前方へと力が加わると、対向部５１ａ１が上方に付勢されることになる。これにより、矢印Ｄの方向（上方）へアクセサリーシューカバー５１の前部５１ａが押し上げられ、アクセサリーシューカバー５１の圧入ボス５４が嵌合穴３６からから外れる。
【００３７】
また、圧入ボス５４と嵌合穴３６との圧入状態が強くて両者が簡単に外れない場合であっても、隙間から指を引っ掛けることで取り外しが可能である。すなわち、アクセサリーシューカバー５１が弾性部材であるため、アクセサリーシューカバー５１が変形し、矢印Ｅ付近が浮き上がって外装カバー３４との間に隙間ができる。そして、できた隙間から指を引っ掛けて、アクセサリーシューカバー５１の圧入ボス５４を外すことが可能となる。矢印Ｅの位置、すなわち、浮き上がる部分は、アクセサリーシューカバー５１の側面部で、前後方向においては圧入ボス５４と引っ掛け係合片５２の間に位置する。つまり、アクセサリーシューカバー５１の前後方向ほぼ中央位置が撓んで浮き上がる。
【００３８】
圧入ボス５４を嵌合穴３６から外すことができれば、その後はアクセサリーシューカバー５１を背面側（後方）へ引き出せば、引っ掛け係合片５２がガイド部３７から外れるので、アクセサリーシューカバー５１を容易に取り外すことができる。
【００３９】
図１２は、デジタルカメラ１に外部アクセサリー６１を装着した状態を示す側面図である。アクセサリーシュー３１に外部アクセサリー６１が取り付けられる。外装カバー３４に取り付け用凹部３５が設けられ、アクセサリーシュー３１の位置が低くなっている。そのため、外部アクセサリー６１は、そのＦ付近の部分が外装カバー３４と干渉することなく取り付けられることが可能となっている。
【００４０】
取り付け用凹部３５を設けたことで、アクセサリーシュー３１を外装カバー３４より大きく上方に突出させる必要がなくなる。また、アクセサリーシューカバー５１が装着されると取り付け用凹部３５が埋まり、外観に違和感がなくなる。つまり、取り付け用凹部３５は、外部アクセサリー６１の取り付けのためのスペースとなると共に、アクセサリーシューカバー５１の取り付けスペースも兼ねている。これにより、デザインの自由度が損なわれないようになっている。
【００４１】
本実施の形態によれば、装着状態にあるアクセサリーシューカバー５１はアクセサリーシュー３１の全体を覆う。また、アクセサリーシュー３１との間に前後方向における隙間５３が生じるので、装着後のアクセサリーシューカバー５１の後部５１ｂを後方に押し込むことができる。そして、アクセサリーシューカバー５１を前方に押圧すると、傾斜面３８と対向部５１ａ１との係合により、前部５１ａが上方に付勢され、嵌合穴３６から圧入ボス５４が外れる。特に、対向部５１ａ１及び圧入ボス５４は、いずれもアクセサリーシューカバー５１の前部５１ａに設けられて互いに近接しているので、嵌合穴３６と圧入ボス５４との嵌合を、指掛け部を設けることなく容易に解くことが可能となる。従って、アクセサリーシュー３１の全体を保護すると共に、アクセサリーシューカバー５１に指掛け部を設けることなく取り外し操作を容易にすることができる。
【００４２】
また、隙間５３は、アクセサリーシューカバー５１の後部５１ｂにおいて生じる一方、傾斜面３８と対向部５１ａ１との係合は前部５１ａにおいて生じる。このことから、仮に後方に押圧しただけでは嵌合穴３６と圧入ボス５４との嵌合が解けない場合であっても、弾性を有するアクセサリーシューカバー５１の前後方向中間部が上方に撓みやすい。そして外装カバー３４との間に指を掛けられるだけの隙間ができ、嵌合の解除操作が可能になる。
【００４３】
また、アクセサリーシューカバー５１の後部５１ｂが前方に強く押圧されたとしても、垂下部５６の前面５６ａとアクセサリーシュー３１のガイド部３７の後端３７ｃ（図９）とが当接した以降は、後部５１ｂはそれ以上前方に変位できない。しかも、引っ掛け係合片５２がガイド部３７の下に後側から潜り込んでいる。そのため、前面５６ａとガイド部３７の後端３７ｃとの間隔である隙間５３の値を適切に設定すれば、後部５１ｂが不用意に前方に押圧された場合であっても、アクセサリーシューカバー５１が意図せずに外れてしまうという事態が回避されやすい。
【００４４】
また、アクセサリーシューカバー５１の装着状態においては、嵌合穴３６と圧入ボス５４との嵌合によって前部５１ａが保持され、引っ掛け係合片５２とガイド部３７との係合によって後部５１ｂが保持される。これにより、アクセサリーシューカバー５１は、前部５１ａ及び後部５１ｂで保持され、装着状態が安定する。
【００４５】
また、嵌合穴３６は、貫通孔ではなく止まり穴として形成されたので、本体１００の内部への異物混入や静電気による弊害が抑制され安全性が高くなる。
【００４６】
また、アクセサリーシュー３１は取り付け用凹部３５に配設され、アクセサリーシューカバー５１は取り付け用凹部３５を埋めるように配設される。これにより、アクセサリーシュー３１が上方に突出し過ぎることがなくデザインの自由度が高いと共に、アクセサリーシューカバー５１の装着状態におけるデジタルカメラ１の外観が向上する。
【００４７】
ところで、本実施の形態では、アクセサリーシューカバー５１に圧入ボス５４、外装カバー３４に嵌合穴３６を設けた。しかし、両者は、アクセサリーシューカバー５１を上方から押圧することで嵌合関係となる組み合わせであればよく、逆の関係でもよい。従って、アクセサリーシューカバー５１に嵌合穴、外装カバー３４に圧入ボス等の突部を設けてもよい。その場合の突部は弾性部材で構成するのが好ましい。
【００４８】
また、本発明の実現において外装カバー３４を本体１００と別体で構成することは必須でなく、一体でもよい。従って、本発明の実現において外装カバー３４を本体１００の一部として構成してもよい。すなわち、外装カバー３４が本体１００に含まれるものと見なしてもよい。
【００４９】
また、アクセサリーシューカバー５１は、圧入ボス５４を含めて一体に形成されるが、圧入ボス５４は別体で構成されたものが固着されたものであってもよい。従って、アクセサリーシューカバー５１の一部に弾性部材でない部分が含まれていてもよい。
【符号の説明】
【００５０】
３１  アクセサリーシュー
３４  外装カバー
３５  取り付け用凹部
３６  嵌合穴
３８  傾斜面
５１  アクセサリーシューカバー
５１ａ１  対向部
５２  引っ掛け係合片
５４  圧入ボス
【図１】
2012058453.tif 000003
【図２】
2012058453.tif 000004
【図３】
2012058453.tif 000005
【図４】
2012058453.tif 000006
【図５】
2012058453.tif 000007
【図６】
2012058453.tif 000008
【図７】
2012058453.tif 000009
【図８】
2012058453.tif 000010
【図９】
2012058453.tif 000011
【図１０】
2012058453.tif 000012
【図１１】
2012058453.tif 000013
【図１２】
2012058453.tif 000014